(57)【要約】【課題】収納状態の筒長を短くするとともに、撮像素子及び撮像素子前面に設けられた光学部品の性能劣化を防ぐことができるレンズ鏡筒、撮像装置を提供する。【解決手段】レンズ鏡筒１が収納状態にあるときに、絞りユニット３０１の開口部（３１３，３２０，３２３，３２４）に第２レンズ群Ｌ２及び１群筒４０の一部を挿入するとともに、シャッタユニット２０１のシャッタ羽根２０３を閉じて遮光を行う。これにより、収納状態の筒長を短くするとともに、撮像素子１０５ａ及び撮像素子前面に設けられた光学部品１０５ｂの性能劣化を防ぐ。【選択図】図２
2010156874.tif 000002
【特許請求の範囲】
【請求項１】
撮影可能状態と収納状態との間で光軸に沿った方向に移動可能なレンズと、
撮影可能状態において前記レンズを通過する光路の開口径を制限する絞り手段と、
撮影可能状態において前記レンズを通過する光路を遮らないように開口するシャッタ手段と、
を備え、
前記絞り手段と前記シャッタ手段のうちの一方は、前記レンズに対して相対的に光軸に沿った方向に移動可能なように設けられ、かつ、収納状態において開口してその開口部内に前記レンズの少なくとも一部が配置され、他方は、収納状態において前記レンズを通過する光を遮光するように開口を閉じること、
を特徴とするレンズ鏡筒。
【請求項２】
前記絞り手段と前記シャッタ手段のうち、収納状態において開口してその開口部内に前記レンズの少なくとも一部が配置されるものについては、撮影可能状態における最大の開口径よりも大きな開口径まで収納状態で開口すること、
を特徴とする請求項１に記載のレンズ鏡筒。
【請求項３】
前記絞り手段と前記シャッタ手段とは、当該レンズ鏡筒の状態に関わらず、それぞれ独立して開閉の駆動が行えること、
を特徴とする請求項１又は請求項２に記載のレンズ鏡筒。
【請求項４】
前記絞り手段と前記シャッタ手段のうち、収納状態において前記レンズを通過する光を遮光するように開口を閉じるものについては、前記レンズの光軸方向に沿った移動とともに一体となって移動するように保持されていること、
を特徴とする請求項１から請求項３までのいずれか１項に記載のレンズ鏡筒。
【請求項５】
請求項１から請求項４までのいずれか１項に記載のレンズ鏡筒と、
前記レンズ鏡筒により得られる被写体像を撮像する撮像手段と、
を備える撮像装置。
【発明の詳細な説明】
【技術分野】
【０００１】
本発明は、撮影可能状態から収納状態へと移行することにより、全長を短くすることができるレンズ鏡筒と、そのレンズ鏡筒を有する撮像装置に関するものである。
【背景技術】
【０００２】
従来、撮影時には繰出し、収納時には沈胴するズームレンズ鏡筒において、収納状態における光軸方向の寸法（筒長）を短くするための技術が、種々提案されている。
特許文献１では、収納状態においてレンズシャッタを開口し、その開口内にレンズ群を入り込ませ、筒長を縮めることのできるレンズ鏡筒、及び、そのようなレンズ鏡筒を備えたカメラを提供する技術が開示されている。
また、特許文献２には、上記特許文献１と同様にして収納状態の筒長を縮めるとともに、レンズバリアを遮光部材として利用して撮像素子やカラーフィルタを外光にさらさないようにして保護する技術が開示されている。
【特許文献１】特開２００４−３４７６１５号公報
【特許文献２】特許３４９６６６７号公報
【発明の開示】
【発明が解決しようとする課題】
【０００３】
しかし、特許文献１に開示された従来技術では、収納状態において撮像素子やカラーフィルタに到達する外光により、これら撮像素子やカラーフィルタ等が劣化することについて何ら考慮されていない。
また、特許文献２に開示された従来技術では、収納状態においてレンズバリアを遮光部材として利用しているが、レンズバリアでは、完全な遮光を行うことはできない。そのため鏡筒先端部に設けられたレンズバリアが閉じ状態であっても十分な遮光が行われず、その隙間からわずかに入り込む光が撮像素子まで到達することで、撮像素子及び撮像素子前面に設けられた光学部品の性能が劣化してしまうという問題があった。
【０００４】
本発明の課題は、収納状態の筒長を短くするとともに、撮像素子及び撮像素子前面に設けられた光学部品の性能劣化を防ぐことができるレンズ鏡筒、撮像装置を提供することである。
【課題を解決するための手段】
【０００５】
本発明の第１の側面としてのレンズ鏡筒は、撮影可能状態と収納状態との間で光軸に沿った方向に移動可能なレンズと、撮影可能状態において前記レンズを通過する光路の開口径を制限する絞り手段と、撮影可能状態において前記レンズを通過する光路を遮らないように開口するシャッタ手段とを備え、前記絞り手段と前記シャッタ手段のうちの一方は、前記レンズに対して相対的に光軸に沿った方向に移動可能なように設けられ、かつ、収納状態において開口してその開口部内に前記レンズの少なくとも一部が配置され、他方は、収納状態において前記レンズを通過する光を遮光するように開口を閉じることを特徴とする。
【０００６】
本発明の第２の側面としての撮像装置は、本発明の第１の側面としてのレンズ鏡筒と、前記レンズ鏡筒により得られる被写体像を撮像する撮像手段とを備える。
【発明の効果】
【０００７】
本発明によれば、収納状態の筒長を短くするとともに、撮像素子及び撮像素子に設けられた光学部品の性能劣化を防ぐことができる。
【発明を実施するための最良の形態】
【０００８】
以下、本発明を実施するための最良の形態について図面等を参照して説明する。
なお、以下に示す各図は、模式的に示した図であり、各部の大きさ、形状は、理解を容易にするために、適宜誇張して示している。
また、以下の説明では、具体的な数値、形状、動作等を示して説明を行うが、これらは、適宜変更することができる。
【０００９】
（実施形態）
図１は、本発明によるレンズ鏡筒を用いた撮像装置の撮影可能状態を示す断面図である。
図２は、撮像装置の収納状態を示す断面図である。
本実施形態の撮像装置は、レンズ鏡筒１とカメラ本体２とを有している。
レンズ鏡筒１は、第１レンズ群Ｌ１、第２レンズ群Ｌ２、第３レンズ群Ｌ３の３群からなる撮影光学系を有している。なお、第１レンズ群Ｌ１、第２レンズ群Ｌ２、第３レンズ群Ｌ３は、いずれも一枚のレンズにより構成されていてもよいし、複数枚のレンズにより構成されていてもよい。
また、レンズ鏡筒１は、いわゆる沈胴式のレンズ鏡筒であり、撮像装置の電源ＯＮ／ＯＦＦに連動して図１に示す撮影可能状態と図２に示す収納状態（沈胴状態）との間で状態が移行する。撮影可能状態では、レンズ鏡筒１の筒長が比較的長いが、収納状態では、撮影可能状態よりも筒長が短くなり、カメラ本体２の内部に収納される。
【００１０】
レンズ鏡筒１は、固定筒２０、移動カム筒３０、直進規制筒３１，１群筒４０を備えている。
固定筒２０は、カメラ本体２に固定されている撮像素子ベース１０に固定されており、ズーム動作及びフォーカス動作では移動しない略円筒形状の部材である。固定筒２０の内周側には、螺旋状に形成された不図示のカム溝と、光軸と平行に形成された不図示の直進ガイド溝が設けられている。
【００１１】
移動カム筒３０は、直進規制筒３１の外周側、かつ、固定筒２０の内周側となる位置に配置された略円筒状の部材である。移動カム筒３０は、内周側に複数のカム溝を有し、外周側にカムフォロア部とギヤ部とを有している。移動カム筒３０のカムフォロア部は、固定筒２０のカム溝にカム係合している。また、移動カム筒３０は、直進規制筒３１に対して光軸まわりで回転可能、かつ、光軸方向に一体的に移動するように設けられている。
【００１２】
直進規制筒３１は、固定筒２０の内周側に配置された略円筒状の部材である。直進規制筒３１は、外周側に突出した突起部３１ａを有し、この突起部３１ａが固定筒２０の直進ガイド溝に係合することにより、移動可能な方向が光軸に平行な方向となるように規制されている。また、直進規制筒３１は、光軸と平行に形成された不図示の直進ガイド孔を複数有している。
【００１３】
１群筒４０は、直進規制筒３１の内周側に配置され、第１レンズ群Ｌ１を保持する部材である。１群筒４０は、外周側に突出した不図示のカムフォロア部を有している。１群筒４０のカムフォロア部は、直進規制筒３１の直進ガイド孔を貫通して移動カム筒３０のカム溝にカム係合している。よって、１群筒４０は、移動可能な方向が光軸に平行な方向となるように規制されている。１群筒４０の被写体側先端付近には、バリア機構４１が設けられている。
【００１４】
２群ユニット１０１は、直進規制筒３１の内周側に配置され、第２レンズ群Ｌ２を保持する部材である。２群ユニット１０１は、外周側に突出したカムフォロア部１０１ａ（図４参照）を、光軸Ｏを中心として周方向に略均等に３箇所有している。２群ユニット１０１のカムフォロア部１０１ａは、直進規制筒３１の直進ガイド孔を貫通して移動カム筒３０のカム溝にカム係合している。よって、２群ユニット１０１は、移動可能な方向が光軸に平行な方向となるように規制されている。
【００１５】
３群枠１０２は、第３レンズ群Ｌ３を保持する部材である。本実施形態の撮影光学系では、第３レンズ群Ｌ３は、フォーカス動作時に光軸方向に移動を行うフォーカスレンズ群として機能する。３群枠１０２は、撮像素子ベース１０上に固定された不図示のＡＦガイド軸にガイドされ、不図示のスクリューとナットにより光軸に沿った方向に移動可能に設けられている。
【００１６】
撮像素子１０５ａは、ＣＣＤ（Charge Coupled Device）イメージセンサ、又は、ＣＭＯＳ（Complementary Metal-Oxide Semiconductor）イメージセンサからなっている。撮像素子１０５ａは、撮像素子ベース１０に固定され、レンズ鏡筒１により得られる光学的な被写体像を電気的なアナログ信号に変換する。
撮像素子１０５ａの被写体側には、カラーフィルタ、ローパスフィルタ、保護フィルタ等の光学部品１０５ｂが設けられている。
【００１７】
上述した構成により、移動カム筒３０に不図示のズームモータから回転駆動力が伝わると、移動カム筒３０は、固定筒２０のカム溝にしたがい回転しながら光軸に沿って移動を行う。
また、直進規制筒３１は、固定筒２０の直進ガイド溝にガイドされて、回転することなく移動カム筒３０とともに光軸に沿って移動する。さらに、１群筒４０及び２群ユニット１０１は、移動カム筒３０のカム溝にしたがい、かつ、直進規制筒３１の直進ガイド孔にガイドされて回転することなく光軸に沿って移動する。
【００１８】
図３は、撮影可能状態における２群ユニット１０１を被写体側から見た図である。
図４は、撮影可能状態における２群ユニット１０１及び第１レンズ群Ｌ１を図３中に示したＸ−Ｘ断面で拡大して示した断面図である。
第２レンズ群Ｌ２は、２群レンズ枠１０３に固定されている。２群レンズ枠１０３は、シャッタベース２０２と別部材で構成されており、光軸Ｏに直交する平面内で移動可能な状態に保持されている。そして、２群レンズ枠１０３は、不図示のアクチュエータにより駆動されて、像ブレ補正動作を行う。なお、２群レンズ枠１０３とシャッタベース２０２は、同一部材で構成されていてもよい。
【００１９】
シャッタユニット２０１と絞りユニット３０１は、各々独立して構成されており、光軸Ｏに平行で、第２レンズ群Ｌ２を挟む形で配置されている。
シャッタユニット２０１は、第２レンズ群Ｌ２を挟んで絞りユニット３０１よりも撮像素子１０５ａに近い位置に配置されている。シャッタユニット２０１は、シャッタベース２０２、シャッタ羽根２０３、シャッタカバー２０４、シャッタアクチュエータ２０５から構成されている。
シャッタ羽根２０３は、そのスペースに応じて１枚から複数枚で構成されており、シャッタアクチュエータ２０５の動力を利用して開閉し、無通電状態であっても全開状態、及び、全閉状態に保持できる。図３，４に示した撮影可能状態では、シャッタ羽根２０３は、全開状態となっており、不図示のレリーズボタンが押されて撮影を行うときには、シャッタ羽根２０３の開閉動作は行われずに、撮像素子１０５ａの電子シャッタを利用する。
なお、撮影を行う時点でシャッタ羽根２０３の開閉動作を行い、いわゆるメカニカルシャッタとして機能させてもよいし、メカニカルシャッタと電子シャッタを併用する形態であってもよい。
【００２０】
図５は、絞りユニット３０１の内部構成が見えるように絞りカバー３０３を取り外した状態で被写体側から見た図である。
図６は、絞りユニット３０１の分解斜視図である。
図７は、２群ユニット１０１の分解斜視図である。
絞りユニット３０１は、絞りベース３０２、絞りカバー３０３、絞りリング３０５、絞り羽根３０８、絞りアクチュエータ３１１、ギヤ３１２で構成されており、レンズ鏡筒１を通過する光路の開口径を制限する。
【００２１】
絞りアクチュエータ３１１の駆動軸には、ギヤ３１２が取り付けられている。また、絞りアクチュエータ３１１は、絞りベース３０２に固定されている。
絞り羽根３０８には、絞りカバー３０３に設けられた穴３０４と嵌合する回転軸３０９が被写体側に設けられている。また、絞り羽根３０８には、絞りリング３０５に設けられたカム溝３０６と嵌合するピン３１０が撮像素子１０５ａ側に設けられている。絞りリング３０５のカム溝３０６と、絞り羽根３０８の回転軸３０９は、それぞれ光軸Ｏを中心として略等間隔に複数個（本実施形態では、６個）が配置されている。
【００２２】
絞りリング３０５には、絞りアクチュエータ３１１に固定されたギヤ３１２と噛み合うギヤ部３０７が構成されている。絞りアクチュエータ３１１の動力は、ギヤ３１２及びギヤ部３０７を介して絞りリング３０５へ伝達し、光軸Ｏを中心に回転駆動させる。
【００２３】
絞り羽根３０８の回転軸３０９は、絞りカバー３０３の穴３０４に挿入されている。また、絞り羽根３０８のピン３１０は、絞りリング３０５のカム溝３０６に挿入されている。
絞り羽根３０８は、光軸Ｏを中心として等間隔に複数枚配置されており、その配置によって開口径の大きさを自在に変更可能な開口部３１３を形成している。
絞りリング３０５が光軸Ｏを中心として回転すると、絞り羽根３０８は、回転軸３０９を中心にカム溝３０６に沿って回転移動し、絞りユニット３０１の開口部３１３を意図した大きさへ変化させる。
なお、図３，４では、絞り羽根３０８は、比較的明るい被写体を撮影するときを想定して、絞り開放状態よりも小さな開口径まで絞り込まれた状態を示している。
【００２４】
シャッタベース２０２は、絞りユニット３０１のメインガイド２０６、振れ止め２０７、ガイド軸２０９を備えている。
メインガイド２０６、振れ止め２０７は、それぞれ光軸Ｏと略平行に配置され、絞りユニット３０１を光軸方向へ平行移動可能に支持するとともに、光軸Ｏに対して略対称に配置されている。メインガイド２０６、振れ止め２０７は、それぞれ絞りベース３０２に設けられたメインガイド用穴３１４、振れ止め用穴３１５に挿入されている。
また、ガイド軸２０９及び振れ止め２０７は、光軸Ｏを中心に周方向で略等間隔となるようにシャッタベース２０２に配置されている。ガイド軸２０９は、絞りベース３０２に設けられたガイド軸穴３１７に挿入されている。
【００２５】
振れ止め用穴３１５には、メインガイド２０６と振れ止め２０７を結ぶ線２０８と略平行であり、かつ、対象な２つの平行な面３１６ａ、３１６ｂが形成されている。面３１６ａ、３１６ｂは、絞りユニット３０１がメインガイド２０６を中心として回転してしまうことを規制し、光軸Ｏと略平行に直進案内する。
なお、振れ止め用穴３１５は、メインガイドと２０６振れ止め２０７を結ぶ線２０８と略平行な面３１６ａ、３１６ｂが形成されていれば、構成によっては一部面を削除したＵ字形状等でもかまわない。
また、本実施形態ではシャッタベース２０２にメインガイド２０６、振れ止め２０７を設けているが、構成によっては絞りベース３０２やその他の構成部品に設けてもよい。
【００２６】
スプリング１０６は、圧縮コイルスプリングであり、絞りユニット３０１とシャッタユニット２０１との間に光軸Ｏと略平行に配置されている。スプリング１０６には、それぞれの内径にスプリング１０６をガイドするガイド軸２０９及び振れ止め２０７が挿入されている。
なお、本実施形態では、絞りユニット３０１の振れ止め２０７をガイド軸２０９と同じくスプリング１０６のガイドとして兼用しているが、絞りユニット３０１、シャッタユニット２０１の構成によっては、振れ止め２０７は独立して配置してもよい。
【００２７】
絞りベース３０２には、ガイド軸２０９及び振れ止め２０７がそれぞれ挿入されているガイド軸穴３１７及び振れ止め用穴３１５と、メインガイド２０６が挿入されているメインガイド用穴３１４が設けられている。
本実施形態では、絞りベース３０２にガイド軸穴３１７及び振れ止め用穴３１５が設けられているが、これらの形状はスペースや構成によっては穴形状でなくてもよい。
また、ガイド軸２０９及び振れ止め２０７は、シャッタベース２０２に設けられ、ガイド軸穴３１７及び振れ止め用穴３１５は、絞りベース３０２にそれぞれ設けられているが、配置が困難な場合はその他の構成部品に設けてもよい。
【００２８】
スプリング１０６は、被写体側では絞りユニット３０１の構成部品の一部に当接し、撮像素子１０５ａ側ではシャッタユニット２０１の構成部品の一部と当接している。よって、スプリング１０６は、絞りユニット３０１及びシャッタユニット２０１を互いに離す方向に付勢する。
シャッタユニット２０１には、絞りユニット３０１の光軸方向の位置を規制するためのストッパー２１１が設けられており、絞りユニット３０１には、このストッパー２１１に当接するフック３１９が設けられている。絞りユニット３０１は、スプリング１０６によりシャッタユニット２０１と離れる方向へ付勢されているが、撮影可能状態では、シャッタユニット２０１のストッパー２１１により、絞りユニット３０１を光軸方向の所定の位置に保持する。
【００２９】
図８は、撮影可能状態において絞り開放状態にある２群ユニット１０１を被写体側から見た図である。
図９は、撮影可能状態において絞り開放状態にある２群ユニット１０１及び第１レンズ群Ｌ１を図８中に示したＹ−Ｙ断面で拡大して示した断面図である。
先に示した図３，４では、絞り開放状態よりも小さな開口径まで絞り込まれた状態を示したが、図８，９では、絞り開放状態となっているので、絞り羽根３０８が形成する開口径は、図３，４に示した場合よりも大きくなっている。
【００３０】
ここで、絞り開放状態とは、第１レンズ群Ｌ１、第２レンズ群Ｌ２、第３レンズ群Ｌ３からなる撮影光学系について、有効な開口径が撮影可能状態における最大の径として設定された開放値となるように絞り羽根３０８が開口した状態である。従来の撮影装置では、この撮影可能状態における絞り開放状態が、絞り羽根の開口し得る最大の径であった。これに対し、本実施形態の絞りユニット３０１は、収納状態では、この絞り開放状態よりもさらに開口径の大きな状態となる。以下、この収納状態について説明する。
【００３１】
図１０は、収納状態における２群ユニット１０１を被写体側から見た図である。
図１１は、収納状態における２群ユニット１０１及び第１レンズ群Ｌ１を図１０中に示したＺ−Ｚ断面で拡大して示した断面図である。
レンズ鏡筒１が撮影可能状態から収納状態へ移行するとき、絞り羽根３０８は、第２レンズ群Ｌ２及び２群レンズ枠１０３との干渉を防止するため絞りカバー３０３に設けられた開口部３２０よりも外周側に収納される。このとき、絞り羽根３０８は、撮影可能状態における絞り開放状態の開口径３２１よりもさらに大きく開いた状態（ここでは、超開放状態と呼ぶ）へと移行し、保持される。なお、開口部３２０と後述する開口部２３２、開口部３２４については、図９に示した。
また、絞りカバー３０３に設けられた開口部３２０、及び、絞りベース３０２に設けられた開口部３２３の開口径は、何れも第２レンズ群Ｌ２及び２群レンズ枠１０３の被写体側部分の外径よりも大きくなっている。また、絞りリング３０５に設けられた開口部３２４の開口径は、絞りカバー３０３に設けられた開口部３２０、及び、絞りベース３０２に設けられた開口部３２３の開口径よりもさらに大きい。
よって、第２レンズ群Ｌ２及び２群レンズ枠１０３の被写体側部分は、他の部材に干渉することなく絞りユニット３０１の開口部内に挿入することが可能である。
【００３２】
撮影可能状態から収納状態への移行がさらに進むと、絞りユニット３０１よりも被写体側に配置された第１レンズ群Ｌ１が撮像素子１０５ａに近づく方向へ移動し、絞りカバー３０３に近づく。そして、第１レンズ群Ｌ１を保持する１群筒４０が絞りカバー３０３に当接し、撮像素子１０５ａ側へ絞りユニット３０１を押圧する。
この押圧によりスプリング１０６は、絞りユニット３０１を介して押し縮められる。そして、絞りユニット３０１は、シャッタユニット２０１に支持されたメインガイド２０６及び振れ止め２０７に沿って、撮像素子１０５ａ側へ光軸Ｏと略平行に移動する。
なお、本実施形態では、絞りユニット３０１は、第１レンズ群Ｌ１を保持する１群筒４０により押圧しているが、レンズ構成やその他のメカ機構によっては、その他の構成部品により押圧してもよい。
【００３３】
絞りユニット３０１が撮像素子１０５ａ側に移動することにより、第２レンズ群Ｌ２及び１群筒４０の少なくとも一部（本実施形態では、被写体側の突出した部分）が、絞りユニット３０１の開口部（３１３，３２０，３２３，３２４）に入り込んだ状態となる。これにより、収納状態において、レンズ鏡筒１の筒長を短縮することができる。
また、シャッタ羽根２０３は、レンズ鏡筒の状態に関係なく開閉できる。よって、収納状態時にシャッタ羽根２０３を閉じることで、撮像素子１０５ａ及び撮像素子１０５ａの被写体側に設けられたカラーフィルタ、ローパスフィルタ、保護フィルタ等の光学部品１０５ｂの性能劣化を防ぐことができる。
【００３４】
以上説明したように、本実施形態によれば、絞りユニット３０１の開口部（３１３，３２０，３２３，３２４）に第２レンズ群Ｌ２及び１群筒４０の一部を挿入するとともに、シャッタユニット２０１のシャッタ羽根２０３を閉じて遮光を行う。よって、収納状態の筒長を短くするとともに、撮像素子１０５ａ及び撮像素子前面に設けられた光学部品１０５ｂの性能劣化を防ぐことができる。
【００３５】
（変形形態）
以上説明した実施形態に限定されることなく、種々の変形や変更が可能であって、それらも本発明の範囲内である。
本実施形態では絞り羽根３０８が超開放状態となり、シャッタ羽根２０３を全閉状態とした例を挙げて説明した。これに限らず、一方をレンズに対して相対的に移動可能とするとともに収納状態で開いてレンズの少なくとも一部を挿入し、他方を閉じる形にすればよい。例えば、シャッタ羽根を全開にし、絞り羽根３０８を全閉にしてもよい。
【００３６】
なお、実施形態及び変形形態は、適宜組み合わせて用いることもできるが、詳細な説明は省略する。また、本発明は以上説明した各実施形態によって限定されることはない。
【図面の簡単な説明】
【００３７】
【図１】本発明によるレンズ鏡筒を用いた撮像装置の撮影可能状態を示す断面図である。
【図２】撮像装置の収納状態を示す断面図である。
【図３】撮影可能状態における２群ユニット１０１を被写体側から見た図である。
【図４】撮影可能状態における２群ユニット１０１及び第１レンズ群Ｌ１を図３中に示したＸ−Ｘ断面で拡大して示した断面図である。
【図５】絞りユニット３０１の内部構成が見えるように絞りカバー３０３を取り外した状態で被写体側から見た図である。
【図６】絞りユニット３０１の分解斜視図である。
【図７】２群ユニット１０１の分解斜視図である。
【図８】撮影可能状態において絞り開放状態にある２群ユニット１０１を被写体側から見た図である。
【図９】撮影可能状態において絞り開放状態にある２群ユニット１０１及び第１レンズ群Ｌ１を図８中に示したＹ−Ｙ断面で拡大して示した断面図である。
【図１０】収納状態における２群ユニット１０１を被写体側から見た図である。
【図１１】収納状態における２群ユニット１０１及び第１レンズ群Ｌ１を図１０中に示したＺ−Ｚ断面で拡大して示した断面図である。
【符号の説明】
【００３８】
Ｌ１    第１レンズ群
Ｌ２    第２レンズ群
Ｌ３    第３レンズ群
１      レンズ鏡筒
２      カメラ本体
１０    撮像素子ベース
２０    固定筒
３０    移動カム筒
３１    直進規制筒
３１ａ    突起部
４０    １群筒
４１    バリア機構
１０１  ２群ユニット
１０１ａ  カムフォロア部
１０２  ３群枠
１０３  ２群レンズ枠
１０５ａ  撮像素子
１０５ｂ  光学部品
１０６  スプリング
２０１  シャッタユニット
２０２  シャッタベース
２０３  シャッタ羽根
２０４  シャッタカバー
２０５  シャッタアクチュエータ
２０６  メインガイド
２０７  振れ止め
２０８  メインガイドと振れ止めを結ぶ線
２０９  ガイド軸
２１１  ストッパー
３０１  絞りユニット
３０２  絞りベース
３０３  絞りカバー
３０４  絞りカバーの穴
３０５  絞りリング
３０６  絞りリングのカム溝
３０７  絞りリングのギヤ部
３０８  絞り羽根
３０９  絞り羽根の回転軸
３１０  絞り羽根のピン
３１１  絞りアクチュエータ
３１２  ギヤ
３１３  絞り羽根の開口部
３１４  メインガイド用穴
３１５  振れ止め用穴
３１６ａ，３１６ｂ  平行な面
３１７  ガイド軸穴
３１９  フック
３２０  絞りカバー３０３の開口部
３２１  絞り開放の開口径
３２３  絞りベース３０２の開口部
３２４  絞りリング３０５の開口部
【図１】
2010156874.tif 000003
【図２】
2010156874.tif 000004
【図３】
2010156874.tif 000005
【図４】
2010156874.tif 000006
【図５】
2010156874.tif 000007
【図６】
2010156874.tif 000008
【図７】
2010156874.tif 000009
【図８】
2010156874.tif 000010
【図９】
2010156874.tif 000011
【図１０】
2010156874.tif 000012
【図１１】
2010156874.tif 000013